(57)【要約】【課題】固形状の食物の残滓が細かく切断されて洗浄水や汚水に混入されることで食器洗い機内を通過し易いようにし、排水時に残滓を汚水と共にスムーズに食器洗い機外部に排出することができるポンプを提供することを目的とする。【解決手段】固定子１１の内周に沿って磁性体１３を有する回転子１２が回転自在に配されたモータ部１０と、吸水口３１と洗浄水吐出口３２と汚水吐出口３３とを有し、前記回転子１２に接続された羽根車４０が前記吸水口３１の開口部に対向して配されたポンプ部３０とからなる食器洗い機用のポンプ１において、前記羽根車４０の回転と共に回転する羽根車状に配列された複数の切断刃４２が、前記羽根車４０の羽根４１から突出し吸水口３１の開口部に対向し設けられている。【選択図】  図１
2007330319.tif 000002
【特許請求の範囲】
【請求項１】
羽根車と共に回転する切断刃を有した
ことを特徴とするポンプ。
【請求項２】
固定子の内周に沿って磁性体を有する回転子が回転自在に配されたモータ部と、
吸水口と洗浄水吐出口と汚水吐出口とを有し、前記回転子に接続された羽根車が前記吸水口の開口部に対向して配されたポンプ部とからなり、
前記羽根車の回転と共に回転する複数の切断刃を、前記吸水口の開口部に対向する前記ポンプ部内に有する
ことを特徴とする請求項１に記載のポンプ。
【請求項３】
前記複数の切断刃が、羽根車状に配列されている
ことを特徴とする請求項２に記載のポンプ。
【請求項４】
前記複数の切断刃が、前記羽根車の羽根から突出し設けられている
ことを特徴とする請求項３に記載のポンプ。
【請求項５】
前記羽根車の羽根が切断刃により形成されている
ことを特徴とする請求項４に記載のポンプ。
【請求項６】
請求項１〜５のいずれかに記載のポンプを、食器洗浄槽への洗浄水の供給、及び洗浄後汚水の排出に用いた食器洗い機。
【発明の詳細な説明】
【技術分野】
【０００１】
本発明は、ポンプ及びそのポンプを用いた食器洗い機に関し、より詳しくは食器洗浄後の汚水に混在する食物滓などの固形物を細かく切断し、円滑に食器洗い機外に排出することができるポンプに関するものである。
【背景技術】
【０００２】
従来より、食器洗い機に用いられるポンプとしては、食器類洗浄のために洗浄水を洗浄槽内に噴射させるとともに洗浄後の汚水を装置外に排出するために、モータの回転方向に応じてポンプ内の水流方向を制御したり、切替弁を用いて洗浄水吐出口と汚水吐出口から一方を選択し、洗浄水を食器洗浄槽に供給するあるいは洗浄後の汚水を排水することができるポンプが知られている（例えば、特許文献１）。
【特許文献１】特開２０００−３３３８９６号公報
【発明の開示】
【発明が解決しようとする課題】
【０００３】
ところで、上記文献に記載されているようなポンプでは、食器類に付着した野菜や肉類など固形状の残滓が洗浄水や食器洗浄後の汚水に混在してポンプ内及び食器洗い機内を循環するため、この残滓がポンプ内部や食器洗浄槽、洗浄水の循環経路内に付着し残ることがある。
【０００４】
これらの残滓がポンプに詰まったり、羽根車に絡み付くことで、スムーズな洗浄及び排水機能を阻害すると共に、羽根車の回転抵抗が増大してポンプの回転不能や損壊、モータの焼付けを起こす等、ポンプが使用不能になるという問題がある。
【０００５】
また、洗浄水への残滓の混入により洗浄性能を低下させることになり、このため、洗浄前には食器洗い機内に残る残滓を除去しなければならず、食器洗浄槽内の清掃や食器挿入前に水による予備洗浄を行うなど、メンテナンス、作業取扱い上の面でも問題があった。
【０００６】
本発明は、これらの問題点を解消するためのもので、固形状の食物の残滓が細かく切断されて洗浄水や汚水に混入されることで食器洗い機内を通過し易いようにし、排水時にこれらの残滓を汚水と共にスムーズに食器洗い機外部に排出することができるポンプを提供することを目的とする。
【課題を解決するための手段】
【０００７】
請求項１の発明は、羽根車と共に回転する切断刃を有したことを特徴とするポンプである。
【０００８】
請求項２の発明は、固定子の内周に沿って磁性体を有する回転子が回転自在に配されたモータ部と、吸水口と洗浄水吐出口と汚水吐出口とを有し、前記回転子に接続された羽根車が前記吸水口の開口部に対向して配されたポンプ部とからなり、前記羽根車の回転と共に回転する複数の切断刃を、前記吸水口の開口部に対向する前記ポンプ部内に有することを特徴とする請求項１に記載のポンプである。
【０００９】
請求項３の発明は、前記複数の切断刃が、羽根車状に配列されていることを特徴とする請求項２に記載のポンプである。
【００１０】
請求項４の発明は、前記複数の切断刃が、前記羽根車の羽根から突出し設けられていることを特徴とする請求項３に記載のポンプである。
【００１１】
請求項５の発明は、前記羽根車の羽根が切断刃により形成されていることを特徴とする請求項４に記載のポンプである。
【００１２】
請求項６の発明は、請求項１〜５のいずれかに記載のポンプを、食器洗浄槽への洗浄水の供給、及び洗浄後汚水の排出に用いた食器洗い機である。
【発明の効果】
【００１３】
本発明のポンプによれば、吸水口から吸い込まれた洗浄水や汚水中に含まれる固形状の残滓が、回転する羽根車に巻き込まれながら通過する際に、同時に回転する複数の切断刃により細かく切断され洗浄水や汚水中に混入されるので、ポンプ内部や食器洗浄槽、洗浄水の循環経路内に付着して残ることがなくなり、排水運転時に汚水と共に食器洗い機外部に排出することができる。これにより、本発明の食器洗い機は、ポンプの故障や洗浄性の低下を起こすことがなく、かつ食器の洗浄前に食器洗浄槽の清掃や予備洗浄を不要にすることが可能となる。
【発明を実施するための最良の形態】
【００１４】
以下、本発明の実施形態ついて、図面に基づいて説明する。
【００１５】
図１は、実施形態のポンプ１の要部構造を示す断面図、図２は図１のポンプの羽根車を下方から見た平面図である。
【００１６】
ポンプ１は、固定子１１の内周に磁性体１３を有する回転子１２が回転自在に配されたモータ部１０と、吸水口３１と食器洗浄槽に接続される洗浄水の吐出口３２と汚水の吐出口３３と前記回転子１２に接続された羽根車４０を収納するポンプ室３４とを有すポンプ部３０とから構成されている。
【００１７】
モータ部１０は、ブラシレス直流モータを構成するもので、モータ部１０の中心に回転自在に配された回転子１２と、回転子１２の外周に沿って配された固定子１１からなっている。
【００１８】
回転子１２は、回転軸１４を中心に配された永久磁石１３が接続部１５を介して回転軸１４にリング状に配されて接続されたものであり、回転軸１４が上下部に設けられたベアリング１６、１７によってモータ部１０の中心に回転自在に配されている。
【００１９】
固定子１１は、積層鉄心１８とそれに巻回された巻線１９とからなり、モータ駆動用の回路基板２１が固定子１１の下側に配され、固定子１１全体がモールド樹脂２２によりモールド成形されている。
【００２０】
ポンプ部３０では、回転軸１４の一端部がケーシング３６の中央部に内蔵されたベアリング３５に支持されケーシング３６内に突出し、回転軸１４の先端部に装着された複数の羽根４１を備えた羽根車４０が吸水口３１の開口に対向しポンプ室３４内に収納されている。
【００２１】
前記モータ部１０とポンプ部３０とは一体に接続されポンプ１を形成している。
【００２２】
図に示すように、羽根車４０は、横断面が円弧状をなす複数の羽根４１（図では８枚）が羽根車状に等間隔に配列されている。この羽根４１のそれぞれ先端部には切断刃４２がその刃先を羽根車４０の回転方向に向けて傾斜し固定されている。
【００２３】
切断刃４２は、厚み０．１〜１ｍｍの高炭素鋼からなる鋭利な刃物でなり、例えば、樹脂製の羽根４１の成形時に羽根と一体に埋め込み成形することができる。
【００２４】
ポンプ１は、モータ部１０の駆動により羽根車４０が回転し、食器洗い機の貯水部から洗浄水あるいは汚水をポンプ室３４に吸い込み、運転モードに従い動作する送水経路切替用の電磁弁などでなる切替弁（図示せず）を動作させて、食器洗浄運転時には洗浄水吐出口３２から食器洗い機の食器洗浄槽に洗浄水を供給し、あるいは排水運転時には汚水吐出口３３から汚水を外部に排出するようになっている。
【００２５】
このポンプ１の運転時には、羽根車４０の回転により洗浄水が吸水口３１から吸い込まれると同時に、吸い込まれた洗浄水や汚水中に含まれる野菜や肉類などの固形状の残滓が、吸水口３１の開口部に対向して回転する切断刃４２により細かく切断され水中に混入される。これにより、残滓は洗浄水などと一緒にポンプ内部や食器洗浄槽、循環経路内をスムーズに流れて、羽根車に絡み付いたり、洗浄槽や循環経路内に付着することがなく、排水運転時に汚水と共に汚水吐出口３３に接続されて配水管から食器洗い機外部に排出することができる。
【００２６】
図では、複数の切断刃４２が羽根車４１の吸水口３１側に設けられているものを示したが、ポンプ室３４の構造や羽根車４０あるいは羽根４１の形状によっては切断刃４２が羽根車４０の反吸水口側に設けられているものでもよい。
【００２７】
また、複数の切断刃４２が羽根車４０の吸水口側と反吸水口側との両側に設けるものでもよい。
【００２８】
また、図示するように、切断刃４２をすべての羽根４１に設ける必要はなく、例えば、１つ置きの羽根４１に交互に設けてもよい。
【００２９】
また、複数の切断刃４２を羽根４１と羽根４１の間に設けるものでもよい。
【００３０】
また、切断刃４２をＦＲＰやＦＲＭなどの強化樹脂で形成することで、羽根４１と一体に、あるいは羽根車４０及び羽根４１と一体成形し製造することもでき、部品数の削減や組立工数を低減することができる。
【産業上の利用可能性】
【００３１】
本発明のポンプは、食器洗い機用ポンプとして好適である。
【図面の簡単な説明】
【００３２】
【図１】実施形態のポンプの断面図である。
【図２】同上ポンプの羽根車の平面図である。
【符号の説明】
【００３３】
１……ポンプ
１０……モータ部
１１……固定子
１２……回転子
１３……磁性体
３０……ポンプ部
３１……吸水口
３２……洗浄水吐出口
３３……汚水吐出口
４０……羽根車
４１……羽根
４２……切断刃
【図１】
2007330319.tif 000003
【図２】
2007330319.tif 000004